【事件の表示】
　特願２０１３−１６９７４５「パッケージ」拒絶査定不服審判事件〔平成２７年　２月２６日出願公開、特開２０１５−　３９１３３〕について、次のとおり審決する。
【結　論】
　本件審判の請求は、成り立たない。
【理　由】
第１　手続の経緯
　本願は，平成２５年８月１９日の出願であって，その手続の経緯は以下のとおりである。
　平成２９年　４月１７日付け：拒絶理由通知書
　平成２９年　６月１４日　　：意見書，手続補正書の提出
　平成２９年１１月２７日付け：拒絶理由通知書（最後）
　平成３０年　１月２５日　　：意見書，手続補正書の提出
　平成３０年　２月２８日付け：拒絶理由通知書（最後）
　平成３０年　４月２６日　　：意見書の提出
　平成３０年　８月３０日付け：拒絶査定
　平成３０年１１月３０日　　：拒絶査定不服審判の請求
第２　本願発明
　平成３０年１月２５日に提出された手続補正書により補正された特許請求の範囲の請求項１に係る発明（以下「本願発明」という。）は，次のとおりのものである（下線は請求人による。）。
　「絶縁材からなり，平面視が矩形状の表面および裏面を有するパッケージ本体と，
　上記パッケージ本体の表面の周辺部に沿って形成された平面視が枠状の金属層と，
　上記金属層の上にロウ材を介して接合された平面視が
矩形
で且つ四隅に屈曲部を有する
　上記金属層に囲まれたパッケージ本体の表面に形成された水晶振動子を搭載するための一対の電極パッドと，
　上記金属層に囲まれたパッケージ本体の表面のうち，上記一対の電極パッドを除いた位置に開口するキャビティの開口部と，を備え，
　上記金属層，一対の電極パッド，およびキャビティの開口部が同一平面に位置して
おり
　
上記電極パッドのそれぞれにおいて，上記金属枠の屈曲部に最も近い位置は，該電極パッドの外形が平面視で外向きに凸のアール形状となって
　上記キャビティの深さは，該キャビティの底面を構成する絶縁材の厚みよりも大きい，
　ことを特徴とするパッケージ。」
第３　原査定の拒絶の理由
　原査定の拒絶の理由の概要は，次のとおりのものである（請求項２〜５に係る発明については省略。）。
　請求項１に係る発明は，本願の出願前に日本国内又は外国において，頒布された又は電気通信回線を通じて公衆に利用可能となった以下の引用文献１に記載された発明及び引用文献２〜５に記載された周知技術に基づいて，その出願前にその発明の属する技術の分野における通常の知識を有する者が容易に発明をすることができたものであるから，特許法２９条２項の規定により特許を受けることができない。
　１．特開２００５−７９６５８号公報
　２．特開２０１２−１２９７７５号公報
　３．特開２０１０−１０３７５４号公報
　４．特開２０１０−８７６５０号公報
　５．特開２００５−１０１２２０号公報
第４　引用文献の記載，引用発明
　１　引用文献１の記載及び引用発明
（１）原査定の拒絶の理由で引用された特開２００５−７９６５８号公報（以下「引用文献１」という。）には，次の記載がある（下線は当審による。）。
　ア　「【００１８】
　
図１は本発明の一実施形態に係る製造方法によって製作した圧電発振器の斜視図，図２は図１の圧電発振器の断面図
圧電振動素子としての水晶振動素子５とＩＣ素子６とが搭載されている基体１の上面に，水晶振動素子５及びＩＣ素子６を囲繞するシールリング３を載置・固定する
【００１９】
　
前記基体１は，例えば，ガラス−セラミック等のセラミック材料によって概略直方体状をなすように形成されており，その上面にはＩＣ素子６を収容するための凹部１１が設けられ，該凹部１１の開口部周辺に位置する基体１の上面には水晶振動素子５が搭載されている。
【００２０】
　一方，
前記基体１の下面
【００２１】
　また
前記基体１の上面には水晶振動素子５の振動電極に接続される一対の搭載パッドが，また前記凹部１１の底面にはＩＣ素子６の接続パッドに接続される複数個の電極パッド等がそれぞれ設けられており
　・・・（中略）・・・
【００２５】
　一方，
前記基体１の上面には，先に述べた水晶振動素子５や凹部１１の開口部を囲繞するようにして金属製のシールリング３が載置・固定されており
　イ　「【００２９】
　次に
上述した圧電発振器の製造方法
【００３０】
　（工程Ａ）
　まず，凹部１１を有する基板領域Ａと複数個の書込制御端子１２を有する捨代領域Ｂとを相互に隣接させて，これらをマトリックス状に配置した母基板１０を準備する。
　・・・（中略）・・・
【００３８】
  （工程Ｃ）
　次に，母基板１０の各基板領域Ａに，水晶振動素子５と凹部１１の開口部とを囲繞するようにしてシールリング３を載置・固定し，しかる後，シールリング３の上部に蓋体４を取着させる。
【００３９】
　シールリング３及び蓋体４は，４２アロイ等の金属を従来周知の金属加工法によって所定形状に成形することによってそれぞれ製作される。
【００４０】
　そして，
前記シールリング３は，母基板１０の各基板領域Ａに凹部１１の開口部や水晶振動素子５の搭載領域を囲繞するようにして予め被着させておいた環状の金属層に対してロウ付けすることによって母基板１０に載置・固定され
　・・・（中略）・・・
【００４６】
　そして母基板１０の分割・切断は従来周知のダイシング等によって行なわれ，これによって
母基板１０が個々の基板領域に対応した複数個の基体１に分割される。
　ウ　図１
　エ　図２
（２）上記（１）の記載について，次のことがいえる。
　圧電発振器の基体１には，水晶振動素子５とＩＣ素子６とが搭載される。（段落【００１８】）
　圧電発振器の基体１は，ガラス−セラミック等のセラミック材料によって概略直方体状をなすように形成され，その上面にはＩＣ素子６を収容するための凹部１１が設けられ，該凹部１１の開口部周辺に位置する基体１の上面には水晶振動素子５が搭載される。（段落【００１９】）
　圧電発振器の基体１は，下面を有する。（段落【００２０】）
　基体１の上面には，水晶振動素子５の振動電極に接続される一対の搭載パッドが設けられる。（段落【００２１】）
　圧電発振器の基体１の上面には，水晶振動素子５や凹部１１の開口部を囲繞するようにして金属製のシールリング３が載置・固定される。（段落【００２５】）
　圧電発振器の製造工程において，シールリング３は，母基板１０の凹部１１の開口部や水晶振動素子５の搭載領域を囲繞するようにして予め被着させておいた環状の金属層に対してロウ付けすることによって，母基板１０に載置・固定され，その後，母基板１０は複数個の基体１に分割される。（段落【００２９】〜【００４６】（特に，段落【００４０】，【００４６】））
（３）上記（１）及び（２）から，引用文献１には次の発明（以下「引用発明」という。）が記載されていると認められる。
　「ガラス−セラミック等のセラミック材料によって概略直方体状をなすように形成され，上面および下面を有する基体と，
　上記基体に被着させた，ＩＣ素子を収容するための凹部の開口部や水晶振動素子の搭載領域を囲繞する，環状の金属層と，
　上記金属層に対してロウ付けされた金属製のシールリングと，
　上記基体の上面に設けられ，水晶振動子に接続される一対の搭載パッドと，
　上記基体の上面に設けられる凹部の開口部であって，その周辺に水晶振動素子が搭載される，凹部の開口部と，を備え，
　基体に水晶振動素子とＩＣ素子とが搭載される，圧電発振器。」
第５　対比・判断
　１　対比
（１）本願発明と引用発明とを対比する。
　引用発明の「ガラス−セラミック等のセラミック材料」，「上面」，「下面」，「基体」，「金属製のシールリング」，「一対の搭載パッド」，「凹部」は，それぞれ，本願発明の「絶縁材」，「表面」，「裏面」，「パッケージ本体」，「金属枠」，「一対の電極パッド」，「キャビティ」に相当する。
　引用発明の「金属製のシールリング」が「金属層に対してロウ付けされ」ることは，本願発明の「金属枠」が「金属層の上にロウ材を介して接合され」ることに相当する。
　引用発明の「基体」は，「概略直方体状をなすように形成され」るものであること，及び，引用文献１の図１から，その「上面」および「下面」の平面視が矩形状であることが明らかである。
　引用発明の「金属層」は，「上記基体に被着させた，ＩＣ素子を収容するための凹部の開口部や水晶振動素子の搭載領域を囲繞する，環状の」ものであること，及び，引用文献１の図１，２から，「基体」の「上面」の周辺部に沿って形成された，平面視が枠状のものであることが明らかである。
　引用発明の「金属製のシールリング」は，引用文献１の図１，２から，平面視が矩形枠状であることが明らかである。
　引用発明の「金属層」は，「上記基体に被着させた，ＩＣ素子を収容するための凹部の開口部や水晶振動素子の搭載領域を囲繞する，環状の」ものであり，「一対の搭載パッド」は，「上記基体の上面に設けられ，水晶振動子に接続される」ものであり，また，「凹部の開口部」は，「上記基体の上面に設けられ」るものであって，「その周辺に水晶振動素子が搭載される」ものであるから，「一対の搭載パッド」は，「水晶振動子」を搭載するためのものであって，「金属層」に囲まれた，「基体」の「上面」に形成されており，また，「凹部の開口部」は，「金属層」に囲まれた，「基体」の「上面」のうち，「一対の搭載パッド」を除いた位置に開口しているといえる。
　引用発明の「金属層」，「一対の搭載パッド」および「凹部の開口部」は，引用文献１の図１，２から，いずれも，「基体」の「上面」である同一平面に位置していることが明らかである。
　引用発明の「圧電発振器」は，「基体」に「水晶振動素子とＩＣ素子とが搭載される」から，本願発明でいう「パッケージ」に対応するものを備えていることは明らかである。
（２）そうすると，本願発明と引用発明とは，
　（一致点）「絶縁材からなり，平面視が矩形状の表面および裏面を有するパッケージ本体と，
　上記パッケージ本体の表面の周辺部に沿って形成された平面視が枠状の金属層と，
　上記金属層の上にロウ材を介して接合された平面視が矩形枠状である金属枠と，
　上記金属層に囲まれたパッケージ本体の表面に形成された水晶振動子を搭載するための一対の電極パッドと，
　上記金属層に囲まれたパッケージ本体の表面のうち，上記一対の電極パッドを除いた位置に開口するキャビティの開口部と，を備え，
　上記金属層，一対の電極パッド，およびキャビティの開口部が同一平面に位置している，
　パッケージ。」
という点で一致し，また，両者は以下の点で相違する。
　（相違点１）本願発明は，「金属枠」が「四隅に屈曲部を有する」形状であるとともに，「上記電極パッドのそれぞれにおいて，上記金属枠の屈曲部に最も近い位置は，該電極パッドの外形が平面視で外向きに凸のアール形状となっている」のに対し，引用発明では，「金属製のシールリング」及び「一対の搭載パッド」の形状について，それらの特定がない点。
　（相違点２）本願発明は，「上記キャビティの深さは，該キャビティの底面を構成する絶縁材の厚みよりも大きい」のに対し，引用発明では，「凹部」の深さについての特定がない点。
　２　判断
（１）そこで，まず相違点１について検討する。
　水晶振動子等を収容するパッケージにおいて，金属枠の四隅を屈曲部を有する形状として，その形状に対応させて，屈曲部に最も近い位置の電極パッドの外形を，平面視で外向きに凸のアール形状であるようにすることは，例えば，原査定の拒絶の査定で引用された特開２０１０−８７６５０号公報（図１），特開２００５−１０１２２０号公報（図２）のほか，特許第４１６７６１４号公報（図１）にも示されているように周知技術であり，引用発明の「金属製のシールリング」の形状及びそれに対する「搭載パッド」の形状の関係に当該周知技術を適用することは，当業者が適宜なし得ることである。
（２）次に，相違点２について検討する。
　引用発明の「凹部」は，「ＩＣ素子を収容するため」のものであるから，「ＩＣ素子」の高さを考慮して，その収容が可能な程度に，「凹部」の深さを大きく設定すべきことが明らかである。
　その一方で，引用発明の「基体」における，上記「凹部」の深さを除いた部分の「セラミック材料」の厚み，すなわち，「凹部」の底面を構成する「セラミック材料」の厚みは，「ＩＣ素子」を収容可能な程度の機械的強度が得られるように設定すべきであるとしても，「凹部」の深さ寸法との直接の関係はなく，ＩＣ素子は通常，小型軽量であるから，機械的強度を確保するために必要な厚みは比較的小さいといえる。
　そうすると，引用発明において，「凹部」の深さと，「凹部」の底面を構成する「セラミック材料」の厚みとの大小関係は，単なる設計的事項にすぎず，前者を後者よりも大きくすることは，例えば，原査定の拒絶の査定で引用された特開２０１２−１２９７７５号公報（図６），特開２０１０−１０３７５４号公報（図２）に同様の大小関係が示されているように，当業者が適宜なし得ることである。
（３）また，本願発明の作用効果は，引用発明及び周知技術から当業者が予測できる程度のものである。
第６　むすび
　以上のとおり，本願発明は，引用発明及び周知技術に基づいて当業者が容易に発明をすることができたものであり，特許法第２９条第２項の規定により特許を受けることができないから，他の請求項に係る発明について検討するまでもなく，本願は拒絶されるべきものである。
　よって，結論のとおり審決する。